(57)【特許請求の範囲】
【請求項１】
船首部に操舵室が設けられるとともに前記操舵室と同じ階層に貨物制御室が同一区画として設けられ、前記操舵室が前記階層の船首側に配置され、前記貨物制御室が前記階層の船尾側に配置され、
前記貨物制御室の窓から貨物エリアを視認できるとともに、前記操舵室と前記貨物制御室を仕切ることが可能である設備を備える
ことを特徴とする液化ガス運搬船。
【請求項２】
前記同一区画内に他の階層へ移動するための階段が設けられることを特徴とする請求項１に記載の液化ガス運搬船。
【請求項３】
前記同一区画に設けられた階段の周囲が壁面で囲まれていないことを特徴とする請求項２に記載の液化ガス運搬船。
【請求項４】
前記貨物制御室のコンソールが、前記窓が設けられる後壁に沿って配置され、前記コンソールの高さが前記後方視界を確保できる高さに設定されることを特徴とする請求項１に記載の液化ガス運搬船。
【請求項５】
前記操舵室および前記貨物制御室において空調装置が兼用されることを特徴とする請求項１〜４の何れか一項に記載の液化ガス運搬船。
【請求項６】
前記空調装置の吹き出し口が、前記操舵室および前記貨物制御室の各々に設けられ、前記吹き出し口が、空気の流れを個別に供給／遮断の間で切り替えるための閉塞装置を備えることを特徴とする請求項５に記載の液化ガス運搬船。
【請求項７】
前記操舵室と前記貨物制御室とにおいて、チャートテーブルが兼用されることを特徴とする請求項１〜６の何れか一項に記載の液化ガス運搬船。
【請求項８】
貨物機器室が貨物区域後部に設けられることを特徴とする請求項１〜７の何れか一項に記載の液化ガス運搬船。                                                                             
【発明の詳細な説明】
【技術分野】
【０００１】
本発明は、液化ガス運搬船における居住区および貨物制御室の配置に関する。
【背景技術】
【０００２】
液化ガス運搬船では、一般に船尾部に居住区が設けられ、船尾船橋からの船首方向への見通しを確保するために居住区の階層は増大する傾向にある。特に球形タンク方式を作用する液化ガス運搬船では、上甲板からタンクが高く突出するためこの傾向が顕著となる（特許文献１、図１参照）。また、液化ガス運搬船では、貨物エリアを視認できる位置に貨物制御室を設ける必要があり、かつ操舵室からは前方視界を確保する必要があることから、貨物制御室は通常操舵室の直ぐ下の階層に配置される。
【先行技術文献】
【特許文献】
【０００３】
【特許文献１】特開２０１５−２１７７４９号公報
【発明の概要】
【発明が解決しようとする課題】
【０００４】
居住区の高さが高く居住区の階層の数が多いと、建造コストや工期が増大する。操舵室からの見通しを確保しながら、居住区の高さや階層を抑える方法としては、居住区を船首部に配置することが考えられる。しかし、操舵室や貨物制御室からの見通しのみを考慮して、従来の船尾部の居住区の配置をそのまま船首部に適用するのでは、必ずしも、船首部に居住区が配置されることの特性を十分に生かしているとは言えない。
【０００５】
本発明は、液化ガス運搬船において、船首部に居住区を配置して居住区の高さと階層数をより効果的に低減するとともに、操舵室の前方視界と貨物制御室からの貨物エリアの視認性を十分に確保することを目的としている。
【課題を解決するための手段】
【０００６】
本発明に係る液化ガス運搬船は、船首部に操舵室が設けられるとともに操舵室と同じ階層に貨物制御室が設けられ、操舵室が階層の船首側に配置され、貨物制御室が同階層の船尾側に配置されることを特徴としている。
【０００７】
この貨物制御室の窓からは、貨物エリアを視認できる。操舵室および貨物制御室は、同一区画として形成され、両者を仕切ることが可能である設備を備える。この同一区画内に他の階層へ移動するための階段が設けられる。この同一区画に設けられた階段の周囲は壁面で囲まれていないことが好ましい。また、貨物制御室のコンソールは、上記窓が設けられる後壁に沿って配置され、コンソールの高さは上記後方視界を確保できる高さに設定される。更に、操舵室および貨物制御室において空調装置は兼用され、空調装置の吹き出し口は、操舵室および貨物制御室の各々に設けられ、吹き出し口が空気の流れを個別に供給／遮断の間で切り替えるための閉塞装置を備えることが好ましい。また操舵室と貨物制御室とにおいて、チャートテーブルは兼用されることが好ましい。なお、貨物機器室は、例えば貨物区域後部に設けられる。
【発明の効果】
【０００８】
本発明によれば、液化ガス運搬船において、船首部に操舵室を有する居住区を配置して居住区の高さと階層数をより効果的に低減するとともに、操舵室の前方視界と貨物制御室からの貨物エリアの視認性を十分に確保することができる。
【図面の簡単な説明】
【０００９】
【図１】本発明の一実施形態である液化ガス運搬船の全体の構成を示す側面図である。
【図２】操舵室および貨物制御室の拡大平面図である。
【図３】操舵室および貨物制御室の側断面図である。
【図４】貨物制御室の後方壁面付近の側断面図である。
【発明を実施するための形態】
【００１０】
以下、図示された実施形態を参照して本発明に係る液化ガス運搬船の構成について説明する。
【００１１】
図１は、本実施形態の液化ガス運搬船１０の側面図である。液化ガス運搬船１０は、例えば、球形タンク形式の液化ガス運搬船であり、貨物エリア１２には、液化ガスを貯蔵するための複数の球形タンク１４が船体長手方向に沿って配置される。貨物エリア１２の前方の船首部１６には、居住区１８が設けられる。
【００１２】
居住区１８には複数の階層が形成される。その上層階（例えば図１では最上層階）の階層２０には操舵室（船橋）２０Ｆが配置される。また、本実施形態では、操舵室２０Ｆが配置される階層２０の船尾側に貨物制御室２０Ａが配置される。すなわち、階層２０では、船首側に操舵室２０Ｆ、船尾側に貨物制御室２０Ａが配置される。
【００１３】
また、本実施形態では、通常貨物エリア１２の球形タンク同士間の両舷側のスペースに配置される貨物機器室２２を、貨物エリア１２の後方に位置する船尾部２４の上甲板上に配置する。なお、船尾部２４にはこの他、機関室（図示せず）等が配置される。
【００１４】
次に、階層２０の平面図である図２、および側面図である図３を参照して、本実施形態における操舵室２０Ｆと貨物制御室２０Ａの配置、及びその構成について説明する。
【００１５】
階層２０の船首側（前方）であって、船橋甲板２６の前方に操舵室２０Ｆが配置され、その後方に貨物制御室２０Ａが配置される。操舵室２０Ｆと貨物制御室２０Ａは、１つの区画として形成され、その間は開閉自在なカーテンや仕切り壁などの設備２８により仕切られる。貨物制御室２０Ａは、貨物エリア１２に配置された機器や、貨物機器室２２の機器を制御するためのコントロールルームであり、階層２０の船尾側壁面の手前には船尾側壁面に沿って機器制御用のコンソール３０が配置される。
【００１６】
階層２０の略中央には、他の階へ移動するための階段３２が設けられ、階段３２は鋼壁（壁面）で囲われず、貨物制御室２０Ａと操舵室２０Ｆと同じ区画内に配置される。図２の例では、階段３２は、カーテンや仕切り壁などの設備２８よりも貨物制御室２０Ａ側に配置される。また、カーテンや仕切り壁などの設備２８に沿って、グループパネル３４やチャートテーブル３６などの備品が配置され、チャートテーブルは、カーテンや仕切り壁などの設備２８をその前後に移動することにより、あるいはチャートテーブルをカーテンや仕切り壁などの設備２８の前後に移動することにより、操舵室２０Ｆと貨物制御室２０Ａとで兼用される。
【００１７】
また、操舵室２０Ｆと貨物制御室２０Ａでは、図３に示されるように空調設備も兼用される。例えば、貨物制御室２０Ａと操舵室２０Ｆには、共通の空調装置３７から空調用ダクト３８を通して冷気／暖気が供給される。なお、貨物制御室２０Ａと操舵室２０Ｆの天井には、それぞれ冷気／暖気の吹き出し口４０Ａ、４０Ｆ、が設けられ、冷気／暖気は冷気／暖気の吹き出し口４０Ａ、４０Ｆを通して各室に排出される。また。冷気／暖気の吹き出し口４０Ａ、４０Ｆには、ダクト３８から各室への空気の流れを個別に供給／遮断の間で切り替えるためのダンパ等の閉塞装置が設けられる。
【００１８】
また、図４に示されるように、階層２０の船尾側壁面には、窓４２が設けられる。窓４２は、作業員Ｐが、後方にある貨物エリア１２の一部もしくは全体を監視しながらコンソール３０を操作できるように窓４２の手前に沿って配置される。更に、コンソール３０の高さは、窓４２を通した作業員Ｐの後方視界（貨物エリア１２の一部もしくは全体の監視）が確保できる高さに設定される。
【００１９】
以上のように、本実施形態では、液化ガス運搬船の居住区を船首部に配置するとともに、従来、貨物エリアを見通すために操舵室の階下にあった貨物制御室を、操舵室と同じ階層の後側に配置することで、貨物エリアの一部もしくは全体の視認性を維持したまま居住区の階層数を減らし、その高さも極力抑えることができる。
【００２０】
また、操舵室と貨物制御室を１つの区画とし、両者を例えばカーテンで区切ることにより、備品や空調設備を共用でき、設備コストを抑えることができる。更に、階段を鋼板で囲わないことから、カーテンを開いたときに、操舵室からの後方視界も確保される。また、本実施形態では、居住区がなくなった船尾部に貨物機器室を配置することで、貨物機器室としてより広いスペースを取ることができる。
【００２１】
なお、本実施形態では球形タンク形式の液化ガス運搬船を例に説明を行なったが、その他の形式の液化ガス運搬船にも本発明を適用することができる。
【符号の説明】
【００２２】
１０  液化ガス運搬船
１２  貨物エリア
１４  球形タンク
１６  船首部
１８  居住区
２０Ａ  貨物制御室
２０Ｆ  操舵室
２２  貨物機器室
２４  船尾部（貨物区域後部）
２６  船橋甲板
２８  カーテンや仕切り壁などの設備
３０  コンソール
３２  階段
４２  窓
【図１】
0006550622.tif 000002
【図２】
0006550622.tif 000003
【図３】
0006550622.tif 000004
【図４】
0006550622.tif 000005